(57)【要約】      （修正有）【課題】お宮参りから８〜９歳程度まで兼用することが可能な子供用着物を提供する。【解決手段】後身頃１００を一幅で仕立てた子供用の着物１であって、後身巾が３３．５ｃｍ〜３４．５ｃｍ、衽巾と前巾との合計が３１．５〜３４．５ｃｍであり、袖口、袖付及び裾周りが比翼仕立てとされていることを特徴とする着物である。【選択図】図１
0003197286.tif 000002
【実用新案登録請求の範囲】
【請求項１】
後身頃を一幅で仕立てた子供用の着物であって、後身巾が３３．５ｃｍ〜３４．５ｃｍ、衽巾と前巾との合計が３１．５〜３４．５ｃｍであり、袖口、袖付及び裾周りが比翼仕立てとされていることを特徴とする着物。
【請求項２】
身丈が１０７〜１０９ｃｍである、請求項１に記載の着物。
【請求項３】
衽下がりが１８．５〜１９．５ｃｍである、請求項１又は２に記載の着物。
【請求項４】
八掛が共八掛ではない、請求項１〜３のいずれか１項に記載の着物。
【請求項５】
掛け衿を有さず、掛け衿の端に相当する箇所の地衿に縫い目を設けている、請求項１〜４のいずれか１項に記載の着物。
【考案の詳細な説明】
【技術分野】
【０００１】
本考案は、０歳〜９歳頃まで兼用できる子供用の着物に関する。
【背景技術】
【０００２】
初着（産着・うぶぎ）と称される着物がある。初着は一つ身（背縫いが無く、並幅一幅で仕立てた着物）で、お宮参りの際には掛け着として用いられ、その後は長着として２〜３歳頃まで着用される。
【０００３】
初着を着用する際には、襦袢の他に、上着と下着の２枚を重ねて着用されるのが通常であった。また仕立ての面では、初着は通常無垢仕立てとされ、裾・袖周りに共布の八掛が付けられていた。絵柄については、通常、絵羽着物として仕立てられ、掛け着として用いることを想定して後身頃を中心として華やかな柄が現される一方で、着姿は重視されず襟元や胸などには柄が少ないものも多かった。
【０００４】
特許文献１には、背縫いが無く、後身頃に自由なデザインを施すことができる長着が提案されている。特許文献１の長着は、従来２歳〜４歳頃までの幼児用の長着として三つ身が用いられていたところ、背縫いを廃した着物とすることによってデザインの自由度を増すとともに、経済性や生産性を向上させるという考案である。
【０００５】
しかしながら特許文献１の長着は２〜４歳程度までの着用が限度であり、８〜９歳の子供に適合するものではなかった。また、柄についても、着姿を想像して配置されたものではなかった。
【先行技術文献】
【特許文献】
【０００６】
【特許文献１】実用新案登録第３１５９０４３号
【考案の概要】
【考案が解決しようとする課題】
【０００７】
従来の初着は、寸法、デザインともに、お宮参りからせいぜい２〜３歳程度まで用いることが限度であると考えられており、活用機会の少なさから購入をためらう家庭も多かった。この状況に鑑みて、本考案は、お宮参りから８〜９歳程度まで兼用することが可能な子供用着物を提供することを課題とする。
【課題を解決するための手段】
【０００８】
本考案者は上記課題について検討する中で、２〜３歳から８〜９歳にかけての子供の成長は、身長は大きく伸びる（３歳女児の標準的な身長：９２ｃｍ、８歳女児の標準的な身長：１２５ｃｍ）のに対して、胴回りの増大は比較的少ない（３歳女児の標準的な胴囲：４５ｃｍ程度、８歳女児の標準的な胴囲：５３ｃｍ程度）ことに着目した。そして、身幅をなるべく大きくとれば８〜９歳まで一つ身でも着用可能なことを見出し、さらに、比翼仕立てにすること、各所の寸法と柄の配置に工夫を加えることによって、初着から９歳頃まで使用できるとともに、用尺が少なく経済的に作成可能で、かつデザインにも優れた子供用着物が得られることを見出し、本考案を完成した。
【０００９】
すなわち本考案は、後身頃を一幅で仕立てた子供用の着物であって、後身巾が３３．５ｃｍ〜３４．５ｃｍ（９寸）、衽巾と前巾との合計が３１．５〜３４．５ｃｍ（８寸７分）であり、袖口、袖付及び裾周りが比翼仕立てとされていることを特徴とする着物に関する。
【００１０】
前記着物において、身丈が１０７〜１０９ｃｍ（２尺８寸５分）であることが好ましい。また、衽下がりが１８．５〜１９．５ｃｍ（５寸）であることが好ましい。
【００１１】
さらに、前記着物において、八掛は共八掛ではないことが好ましい。また、前記着物は、掛け衿を有さず、掛け衿の端に相当する箇所の地衿に縫い目を設けていることが好ましい。
【図面の簡単な説明】
【００１２】
【図１】本考案の実施態様である着物１の背面図である。
【図２】本考案の実施態様である着物２の前面図である。
【図３】本考案の実施例及び従来例の裁断図である。
【考案を実施するための形態】
【００１３】
以下、図面を元に本考案を説明するが、本考案は示された例に制限されるものではない。
【００１４】
図１は本考案に係る着物１の全体構成を、着物１を広げた状態で示す背面図である。なお、本明細書において参照する各図は、本考案の理解を容易にするために一部の構成要素を誇張して表すなど模式的に表している。このため、各構成要素間の寸法や比率などは異なっていることがある。この着物１は、赤子から８〜９歳頃（身長１２５ｃｍ程度）まで着用することが可能で、初着から三つ身、四つ身までを兼用可能としたものである。
【００１５】
着物１は、身頃１０を備えている。身頃１０は、後身頃１００の両側に、上前身頃１０２、下前身頃１０３が連続して設けられ、上前身頃１０２には上衽１０４が、下前身頃１０３には下前衽１０５がそれぞれ連続して設けられている。後身頃１００が着用者の背中側に相当する。
【００１６】
本考案の着物の後身頃１００の巾は、並幅の反物を幅いっぱいに用い、かつ縫い代をできるだけ狭くすることによって３３．５ｃｍ〜３４．５ｃｍ、好ましくは９寸（３４．１ｃｍ）としている。本発明の着物は後身頃を一幅で仕立てた、一つ身の着物であることが特徴である。従来の一つ身は、後身巾が８寸５分（３２．２ｃｍ）で作られていたのに対して、本考案の着物の後身巾では５分程度広いだけである。しかしながらこの５分の差によって、着用できる対象年齢が大幅に広がることが見出された。
【００１７】
上前身頃１０２、下前身頃１０３の巾はそれぞれ４寸２分（１５．９ｃｍ）程度、すなわち、１５．５ｃｍ〜１６．５ｃｍ程度であることがこのましい。また上前衽１０４、下前衽１０５の巾はそれぞれ４寸５分（１７．０ｃｍ）程度、すなわち、１６ｃｍ〜１８ｃｍ程度であることが好ましい。つまり、衽巾と前巾を合わせて３１．５ｃｍ〜３４．５ｃｍ程度であることが好ましい。
【００１８】
着物１の身丈Ｌ１は２尺８寸５分程度（１０７〜１０９ｃｍ程度）であることが好ましい。この身丈Ｌ１は従来の初着に比べると３０ｃｍあまり長いが、掛け着として用いるには不自然さが無く、２〜３歳の子供が着用する際には胴上げ等によって簡易的に丈を詰めることが可能であり、かつ、身長の伸びた８〜９歳の子供にも着用が可能である。
【００１９】
着物１は左右１対の袖１０６、１０７を有する。図１の例では、袖１０６、１０７は初着として大名袖（袖口が閉じられず開いた形態）であるが、後の着用を考慮して袖口を残して閉じて丸みをつけた形態としてもよい。
【００２０】
着物１の袖丈Ｌ２は１尺８寸程度（６７．５〜６８．５ｃｍ程度）であることが好ましい。この袖丈Ｌ２は従来の初着に比べると長いが、掛け着として用いるには不自然さが無く、２〜３歳の子供が着用する際には簡易的に丈を詰めることが可能であり、かつ、身長の伸びた８〜９歳の子供にも見栄えよく着用が可能である。
【００２１】
着物１の袖巾Ｌ３は８寸５分程度（３１．５〜３２．５ｃｍ程度）であることが好ましい。この袖巾Ｌ３であれば並幅一幅でとることが可能であり、２〜３歳の子供が着用する際には肩上げ等によって調整可能であるとともに、８〜９歳の子供も見栄えよく着用できる。
【００２２】
図２は本考案に係る着物２の全体構成を、着物２を広げた状態で示す前面図である。着物１と同様の構成については説明を省略する。
着物２は衿２０の中途に一対の付紐２１、２２が取り付けられている。図２の紐２２は、前身頃の下を通して身八つ口から出した状態を示している。付紐２１、２２は従来公知の巾および長さに準じて適宜作成することができ、特に制限されないが例えば、紐丈を２尺３寸５分（８９ｃｍ）程度とすることができる。付紐２１、２２は飾り縫いによって取り付けられており、従来公知の方法に準じて、子供の成長等に応じて場所を付け替えたり、取り外したりすることができる。
【００２３】
図２の着物２の袖口、袖付にはそれぞれ比翼２３、２４が取り付けられている。また身頃の裾周りにも比翼２５が取り付けられている。本考案の着物は、比翼仕立てとすることによって、下着を用いなくても下着を着用しているかのような豪華さを得ることができる。また比翼仕立てにすることで、共八掛を廃することが可能となり、八掛に相当する分の用尺を低減することができる。
【００２４】
着物２の衽下がりＬ４は５寸程度（１８．５〜１９．５ｃｍ程度）とすることが好ましい。従来の初着の衽下がりが２寸５分程度であったことと比較すれば本考案の着物の衽下がりＬ４は大きくなっているが、この程度であれば、２〜３歳の子供であれば着方によって調整可能であり、８〜９歳の子供にも余裕を持って着用することが可能である。
【００２５】
着物２の衿２０は地衿のみで構成され、掛け衿を用いないことも好ましい。この場合、地衿２０の一部をつまみ縫いして縫い目２６を作り、掛け衿があるように見せることも好ましい。
【００２６】
図１、図２において柄は省略しているが、従来の初着と同様に絵羽模様とすることが好ましい。さらに、本考案の着物は掛け着としてのみではなく、長着としても用いるため、着姿を想定して肩から胸、前身頃にも重点的に柄を配置することが好ましい。
【００２７】
図３は本考案の着物を作成するための裁断図（上）及び従来の初着の裁断図（下）の例である。本考案の着物の用尺は、共八掛を省略することで約７．２ｍ（１丈９寸）で足りる。従来の用尺と比較すると１．２ｍあまり節約することが可能で、本考案によれば経済的にも有利に着物を製造することができる。本考案の着物は従来公知の素材、つまり、絹、ポリエステル等で作成することができ、素材は特に制限されない。正絹で仕立てると、より美しく高級感の有る着物となるため好ましい。
【符号の説明】
【００２８】
１、２  着物
１０  身頃
１００  後身頃
１０２  上前身頃
１０３  下前身頃
１０４  上前衽
１０５  下前衽
１０６、１０７  袖
２０  衿
２１、２２  付紐
２３、２４、２５  比翼
２６  縫い目
【図１】
0003197286.tif 000003
【図２】
0003197286.tif 000004
【図３】
0003197286.tif 000005